(57)【要約】【課題】特定の金種の硬貨の処理である特定処理を行う際に、硬貨の処理が中断される頻度を少なくすることができ、よって操作者にとっての負荷を軽減するとともに硬貨の処理時間を短くすることができる硬貨処理装置および硬貨処理方法を提供する。【解決手段】硬貨処理装置１０は、筐体１２の外部に硬貨を排出するための排出部５０と、特定の金種の硬貨の処理である特定処理を行う旨の指令を受け付ける特定処理指令受付手段２１０と、特定処理指令受付手段２１０において特定処理を行う旨の指令が受け付けられたときに、選別部（例えば、金種別選別部３６）により選別された、特定処理に係る特定の金種以外の金種の硬貨を、一時保留部（例えば、入金一時保留部４０の金種別一時保留部４４）を通過させて排出部５０に送るよう選別部および一時保留部を制御する制御部２００とを備えている。【選択図】図１１
2017058769.tif 000002
【特許請求の範囲】
【請求項１】
筐体の内部に投入された硬貨を識別する識別部と、
前記識別部による識別結果に基づいて前記識別部により識別された硬貨を金種毎に選別する選別部と、
前記選別部により金種毎に選別された硬貨を金種毎に保留するための複数の保留領域を有する一時保留部と、
前記一時保留部の各前記保留領域から硬貨が金種毎に送られる複数の収納領域を有する収納部と、
前記筐体の外部に硬貨を排出するための排出部であって、前記一時保留部から硬貨が送られて金種混合状態で集積される排出部と、
特定の金種の硬貨の処理である特定処理を行う旨の指令を受け付ける特定処理指令受付手段と、
前記特定処理指令受付手段において前記特定処理を行う旨の指令が受け付けられたときに、前記選別部により選別された、前記特定処理に係る特定の金種以外の金種の硬貨を、前記一時保留部を通過させて前記排出部に送るよう前記選別部および前記一時保留部を制御する制御部と、
を備えた、硬貨処理装置。
【請求項２】
所定の枚数の硬貨を包装媒体により包装して包装硬貨を形成する包装部を更に備え、
前記特定処理は包装処理であり、
前記特定処理指令受付手段において前記包装処理を行う旨の指令が受け付けられたときに、前記選別部により選別された、前記包装処理に係る特定の金種の硬貨が前記包装部に送られるようになっている、請求項１記載の硬貨処理装置。
【請求項３】
前記筐体の外部からアクセス可能な貯留部を更に備え、
前記特定処理は計数処理であり、
前記特定処理指令受付手段において前記計数処理を行う旨の指令が受け付けられたときに、前記選別部により選別された、前記計数処理に係る特定の金種の硬貨が前記貯留部に送られるようになっている、請求項１記載の硬貨処理装置。
【請求項４】
前記排出部は、前記筐体から取り出し可能な返却箱を含む、請求項１乃至３のいずれか一項に記載の硬貨処理装置。
【請求項５】
前記一時保留部の底面または側面は開閉可能となっており、前記特定処理指令受付手段において前記特定処理を行う旨の指令が受け付けられたときに、前記一時保留部の前記底面または前記側面が開くことにより、前記特定処理に係る特定の金種以外の金種の硬貨が前記一時保留部を通過して前記排出部に送られるようになっている、請求項１乃至４のいずれか一項に記載の硬貨処理装置。
【請求項６】
前記一時保留部の前記底面または前記側面は開口しているとともに、前記開口を閉止する閉止位置および前記開口を開く開口位置の間で移動自在となっている閉止部材が設けられており、
前記特定処理指令受付手段において前記特定処理を行う旨の指令が受け付けられたときに、前記閉止部材が前記開口位置に位置するようになっている、請求項５記載の硬貨処理装置。
【請求項７】
筐体内に投入された硬貨を識別する識別部と、
前記識別部による識別結果に基づいて前記識別部により識別された硬貨を金種毎に選別する選別部と、
前記選別部により金種毎に選別された硬貨を金種毎に保留するための複数の保留領域を有する一時保留部と、
前記一時保留部の各保留領域から硬貨が金種毎に送られる複数の収納領域を有する収納部と、
前記一時保留部から硬貨が送られて金種混合状態で集積される排出部と、
前記選別部により金種毎に選別された硬貨を前記排出部に直接送るバイパス経路と、
特定の金種の硬貨の処理である特定処理を行う旨の指令を受け付ける特定処理指令受付手段と、
前記特定処理指令受付手段において前記特定処理を行う旨の指令が受け付けられたときに、前記選別部により選別された、前記特定処理に係る特定の金種以外の金種の硬貨を、前記バイパス経路を通って前記排出部に直接送るよう前記選別部を制御する制御部と、
を備えた、硬貨処理装置。
【請求項８】
前記特定処理が行われている間に、前記排出部に収納されている硬貨が所定の状態となった場合には前記特定処理が中断されるようになっている、請求項１乃至７のいずれか一項に記載の硬貨処理装置。
【請求項９】
前記排出部に収納されている硬貨が所定の状態となった場合にこのことを報知する報知部を更に備えた、請求項８記載の硬貨処理装置。
【請求項１０】
硬貨処理装置の筐体の内部に投入された硬貨を識別部により識別する工程と、
前記識別部による識別結果に基づいて前記識別部により識別された硬貨を選別部により金種毎に選別する工程と、
前記選別部により金種毎に選別された硬貨を一時保留部の各保留領域に金種毎に保留する工程と、
前記一時保留部の各前記保留領域から硬貨を金種毎に収納部の各収納領域に送る工程と、
を備え、
特定の金種の硬貨の処理である特定処理を行う旨の指令が受け付けられたときに、前記選別部により選別された、前記特定処理に係る特定の金種以外の金種の硬貨を、前記一時保留部を通過させて前記筐体の外部に硬貨を排出するための排出部に送る、硬貨処理方法。
【発明の詳細な説明】
【技術分野】
【０００１】
本発明は、硬貨の処理を行う硬貨処理装置およびこのような硬貨処理装置による硬貨処理方法に関する。
【背景技術】
【０００２】
従来から、金融機関等で使用される現金出納機として、所定枚数（例えば、５０枚）のバラ硬貨を重積させて紙やフィルム等の包装媒体により包装することによって包装硬貨を形成するような硬貨処理装置が用いられている（例えば、特許文献１等参照）。特許文献１に開示される硬貨処理装置では、バラ硬貨が入金されたときに、入金されたバラ硬貨を所定枚数だけ重積させて包装媒体により包装することによって包装硬貨を形成し、形成された包装硬貨を出金するようなダイレクト包装処理を行うことができるようになっている。
【０００３】
このような硬貨処理装置においてダイレクト包装処理を行う際に、包装されるべき硬貨の金種が手動または自動で設定されるようになっている。そして、硬貨処理装置に入金されたバラ硬貨のうち包装対象となる金種のバラ硬貨は集積部に送られて当該集積部に集積され、この集積部に集積されたバラ硬貨の枚数が所定枚数に達したときに所定枚数のバラ硬貨が包装部に送られるようになる。このようにして包装部においてバラ硬貨を所定枚数だけ重積させて包装媒体により包装することによって包装硬貨を形成することができるようになる。一方、硬貨処理装置に入金されたバラ硬貨のうち包装対象となる金種以外の金種のバラ硬貨は入金一時保留部の各保留領域に金種毎に保留されるようになる。そして、入金一時保留部におけるある保留領域に保留されたバラ硬貨が満杯となるか、包装部による包装硬貨の形成動作が完了すると、入金一時保留部に保留されているバラ硬貨が硬貨処理装置の筐体の外部に排出されるようになる。
【先行技術文献】
【特許文献】
【０００４】
【特許文献１】特許第５５５１８６３号
【発明の概要】
【発明が解決しようとする課題】
【０００５】
特許文献１に開示されるような従来の硬貨処理装置では、ダイレクト包装処理を行う際に、硬貨処理装置に入金されたバラ硬貨のうち包装対象となる金種以外の金種のバラ硬貨は入金一時保留部の各保留領域に金種毎に保留されるが、入金一時保留部におけるある保留領域に保留されたバラ硬貨が満杯となったときには、入金されたバラ硬貨を集積部や入金一時保留部に送る動作を停止させ、入金一時保留部に保留されているバラ硬貨を硬貨処理装置の筐体の外部に一旦排出させた後に、入金されたバラ硬貨を集積部や入金一時保留部に送る動作を再開させる必要があった。このように、特許文献１に開示されるような従来の硬貨処理装置では、入金一時保留部におけるある保留領域に保留されたバラ硬貨が満杯となったときには硬貨の処理が中断されるため操作者にとって手間がかかるとともに硬貨の処理時間が長くなってしまうという問題があった。このような問題は、硬貨処理装置において入金されたバラ硬貨のうち特定の金種のバラ硬貨を計数し、筐体の外部からアクセス可能な袋やトレイに計数済のバラ硬貨を収納させるような計数処理でも生じうる。
【０００６】
本発明は、このような点を考慮してなされたものであり、特定の金種の硬貨の処理である特定処理を行う際に、硬貨の処理が中断される頻度を少なくすることができ、よって操作者にとっての負荷を軽減するとともに硬貨の処理時間を短くすることができる硬貨処理装置および硬貨処理方法を提供することを目的とする。
【課題を解決するための手段】
【０００７】
本発明の硬貨処理装置は、筐体の内部に投入された硬貨を識別する識別部と、前記識別部による識別結果に基づいて前記識別部により識別された硬貨を金種毎に選別する選別部と、前記選別部により金種毎に選別された硬貨を金種毎に保留するための複数の保留領域を有する一時保留部と、前記一時保留部の各前記保留領域から硬貨が金種毎に送られる複数の収納領域を有する収納部と、前記筐体の外部に硬貨を排出するための排出部であって、前記一時保留部から硬貨が送られて金種混合状態で集積される排出部と、特定の金種の硬貨の処理である特定処理を行う旨の指令を受け付ける特定処理指令受付手段と、前記特定処理指令受付手段において前記特定処理を行う旨の指令が受け付けられたときに、前記選別部により選別された、前記特定処理に係る特定の金種以外の金種の硬貨を、前記一時保留部を通過させて前記排出部に送るよう前記選別部および前記一時保留部を制御する制御部と、を備えたことを特徴とする。
【０００８】
このような硬貨処理装置によれば、特定処理を行う旨の指令が受け付けられたときに、選別部により選別された、特定処理に係る特定の金種以外の金種の硬貨を、一時保留部に保留させることなく排出部に送ることによって、より多くの枚数の硬貨を排出部に集積させることができるため、硬貨の処理が中断される頻度を少なくすることができ、よって操作者にとっての負荷を軽減するとともに硬貨の処理時間を短くすることができる。
【０００９】
本発明の硬貨処理装置は、所定の枚数の硬貨を包装媒体により包装して包装硬貨を形成する包装部を更に備え、前記特定処理は包装処理であり、前記特定処理指令受付手段において前記包装処理を行う旨の指令が受け付けられたときに、前記選別部により選別された、前記包装処理に係る特定の金種の硬貨が前記包装部に送られるようになっていてもよい。
【００１０】
本発明の硬貨処理装置は、前記筐体の外部からアクセス可能な貯留部を更に備え、前記特定処理は計数処理であり、前記特定処理指令受付手段において前記計数処理を行う旨の指令が受け付けられたときに、前記選別部により選別された、前記計数処理に係る特定の金種の硬貨が前記貯留部に送られるようになっていてもよい。
【００１１】
本発明の硬貨処理装置においては、前記排出部は、前記筐体から取り出し可能な返却箱を含んでいてもよい。
【００１２】
本発明の硬貨処理装置においては、前記一時保留部の底面または側面は開閉可能となっており、前記特定処理指令受付手段において前記特定処理を行う旨の指令が受け付けられたときに、前記一時保留部の前記底面または前記側面が開くことにより、前記特定処理に係る特定の金種以外の金種の硬貨が前記一時保留部を通過して前記排出部に送られるようになっていてもよい。
【００１３】
この場合、前記一時保留部の前記底面または前記側面は開口しているとともに、前記開口を閉止する閉止位置および前記開口を開く開口位置の間で移動自在となっている閉止部材が設けられており、前記特定処理指令受付手段において前記特定処理を行う旨の指令が受け付けられたときに、前記閉止部材が前記開口位置に位置するようになっていてもよい。
【００１４】
本発明の硬貨処理装置は、筐体内に投入された硬貨を識別する識別部と、前記識別部による識別結果に基づいて前記識別部により識別された硬貨を金種毎に選別する選別部と、前記選別部により金種毎に選別された硬貨を金種毎に保留するための複数の保留領域を有する一時保留部と、前記一時保留部の各保留領域から硬貨が金種毎に送られる複数の収納領域を有する収納部と、前記一時保留部から硬貨が送られて金種混合状態で集積される排出部と、前記選別部により金種毎に選別された硬貨を前記排出部に直接送るバイパス経路と、特定の金種の硬貨の処理である特定処理を行う旨の指令を受け付ける特定処理指令受付手段と、前記特定処理指令受付手段において前記特定処理を行う旨の指令が受け付けられたときに、前記選別部により選別された、前記特定処理に係る特定の金種以外の金種の硬貨を、前記バイパス経路を通って前記排出部に直接送るよう前記選別部を制御する制御部と、を備えたことを特徴とする。
【００１５】
このような硬貨処理装置によれば、特定処理を行う旨の指令が受け付けられたときに、選別部により選別された、特定処理に係る特定の金種以外の金種の硬貨を、一時保留部に保留させることなく排出部に送ることによって、より多くの枚数の硬貨を排出部に集積させることができるため、硬貨の処理が中断される頻度を少なくすることができ、よって操作者にとっての負荷を軽減するとともに硬貨の処理時間を短くすることができる。
【００１６】
本発明の硬貨処理装置においては、前記特定処理が行われている間に、前記排出部に収納されている硬貨が所定の状態となった場合には前記特定処理が中断されるようになっていてもよい。
【００１７】
また、本発明の硬貨処理装置は、前記排出部に収納されている硬貨が所定の状態となった場合にこのことを報知する報知部を更に備えていてもよい。
【００１８】
本発明の硬貨処理方法は、硬貨処理装置の筐体の内部に投入された硬貨を識別部により識別する工程と、前記識別部による識別結果に基づいて前記識別部により識別された硬貨を選別部により金種毎に選別する工程と、前記選別部により金種毎に選別された硬貨を一時保留部の各保留領域に金種毎に保留する工程と、前記一時保留部の各前記保留領域から硬貨を金種毎に収納部の各収納領域に送る工程と、を備え、特定の金種の硬貨の処理である特定処理を行う旨の指令が受け付けられたときに、前記選別部により選別された、前記特定処理に係る特定の金種以外の金種の硬貨を、前記一時保留部を通過させて前記筐体の外部に硬貨を排出するための排出部に送ることを特徴とする。
【００１９】
このような硬貨処理方法によれば、特定処理を行う旨の指令が受け付けられたときに、選別部により選別された、特定処理に係る特定の金種以外の金種の硬貨を、一時保留部に保留させることなく排出部に送ることによって、より多くの枚数の硬貨を排出部に集積させることができるため、硬貨の処理が中断される頻度を少なくすることができ、よって操作者にとっての負荷を軽減するとともに硬貨の処理時間を短くすることができる。
【発明の効果】
【００２０】
本発明の硬貨処理装置および硬貨処理方法によれば、特定の金種の硬貨の処理である特定処理を行う際に、硬貨の処理が中断される頻度を少なくすることができ、よって操作者にとっての負荷を軽減するとともに硬貨の処理時間を短くすることができる。
【図面の簡単な説明】
【００２１】
【図１】本発明の実施の形態による硬貨処理装置の外観を示す斜視図である。
【図２】図１に示す硬貨処理装置を正面側から見たときの内部構成を概略的に示す概略構成図である。
【図３】図１に示す硬貨処理装置を左側方から見たときの内部構成を概略的に示す概略構成図である。
【図４】図１に示す硬貨処理装置を右側方から見たときの内部構成を概略的に示す概略構成図である。
【図５】図１等に示す硬貨処理装置における入金繰出部および入金搬送部を上方から見たときの構成を示す構成図である。
【図６】図１等に示す硬貨処理装置における各構成部材間での硬貨の流れを示す説明図である。
【図７】（ａ）は、図１等に示す硬貨処理装置における入金一時保留部の構成を概略的に示す側面図であり、（ｂ）は、（ａ）に示す入金一時保留部を上方から見たときの構成を示す上面図である。
【図８】（ａ）〜（ｄ）は、それぞれ、図７（ｂ）に示す入金一時保留部のＡ−Ａ矢視による断面図である。
【図９】（ａ）〜（ｄ）は、それぞれ、図７（ｂ）に示す入金一時保留部のＢ−Ｂ矢視による断面図である。
【図１０】図１等に示す硬貨処理装置における制御系の構成を示す機能ブロック図である。
【図１１】（ａ）（ｂ）は、それぞれ、図１等に示す硬貨処理装置においてダイレクト包装処理を行う際の硬貨の流れを示す側面図および正面図である。
【図１２】（ａ）（ｂ）は、それぞれ、従来の硬貨処理装置においてダイレクト包装処理を行う際の硬貨の流れを示す側面図および正面図である。
【図１３】（ａ）（ｂ）は、それぞれ、変形例に係る硬貨処理装置における入金一時保留部の金種別一時保留部の構成を示す構成図である。
【図１４】（ａ）（ｂ）は、それぞれ、別の変形例に係る硬貨処理装置の内部構成を示す側面図および正面図である。
【図１５】更に別の変形例に係る硬貨処理装置の内部構成を示す側面図である。
【図１６】更に別の変形例に係る硬貨処理装置における各構成部材間での硬貨の流れを示す説明図である。
【発明を実施するための形態】
【００２２】
以下、図面を参照して本発明の実施の形態について説明する。図１乃至図１１は、本実施の形態による硬貨処理装置およびこのような硬貨処理装置による硬貨処理方法を示す図である。このうち、図１は、本実施の形態による硬貨処理装置の外観を示す斜視図であり、図２乃至図４は、それぞれ、図１に示す硬貨処理装置を正面側、左側方、右側方から見たときの内部構成を概略的に示す概略構成図である。また、図５は、図１等に示す硬貨処理装置における入金繰出部および入金搬送部を上方から見たときの構成を示す構成図である。また、図６は、図１等に示す硬貨処理装置における各構成部材間での硬貨の流れを示す説明図である。また、図７（ａ）は、図１等に示す硬貨処理装置における入金一時保留部の構成を概略的に示す側面図であり、図７（ｂ）は、図７（ａ）に示す入金一時保留部を上方から見たときの構成を示す上面図である。また、図８（ａ）〜（ｄ）および図９（ａ）〜（ｄ）は、それぞれ、図７（ｂ）に示す入金一時保留部のＡ−Ａ矢視およびＢ−Ｂ矢視による断面図である。また、図１０は、図１等に示す硬貨処理装置における制御系の構成を示す機能ブロック図である。また、図１１は、（ａ）（ｂ）は、それぞれ、図１等に示す硬貨処理装置においてダイレクト包装処理を行う際の硬貨の流れを示す側面図および正面図である。なお、図１２（ａ）（ｂ）は、それぞれ、従来技術の硬貨処理装置においてダイレクト包装処理を行う際の硬貨の流れを示す側面図および正面図である。また、図４において包装部により形成された包装硬貨や包装硬貨収納部に収納されている包装硬貨、包装硬貨搬送部により搬送されている包装硬貨等を参照符合Ｗで示している。また、図８および図９において、入金一時保留部や排出部等に集積されている複数の硬貨の群を参照符合Ｃで示している。
【００２３】
本実施の形態による硬貨処理装置１０は、バラ硬貨の入金処理や出金処理を行うことができるとともに、機体内で所定枚数（例えば、５０枚）のバラ硬貨に紙やフィルム等の包装媒体を巻くことにより包装硬貨を形成したりこの形成された包装硬貨の出金処理を行ったりすることができるようになっている。このような硬貨処理装置１０の外観や内部構成の詳細について図１乃至図５を用いて説明する。
【００２４】
本実施の形態による硬貨処理装置１０は、略直方体形状の筐体１２と、筐体１２の上面に設けられた硬貨投入口２１に投入されたバラ硬貨を筐体１２の内部に繰り出す入金繰出部２０と、入金繰出部２０により繰り出されたバラ硬貨を搬送する入金搬送部２８と、入金搬送部２８により搬送されるバラ硬貨を識別する入金識別部２９とを備えている。また、入金搬送部２８には、入金識別部２９により正常な硬貨ではないと識別されたバラ硬貨や入金識別部２９により識別することができなかったバラ硬貨をリジェクト硬貨として選別するリジェクト選別部３０、入金識別部２９により特定の任意の金種の硬貨であると識別されたバラ硬貨を選別する任意選別部３４、および入金識別部２９により各々の金種の硬貨であると識別されたバラ硬貨を選別する複数の金種別選別部３６がそれぞれ設けられている。また、筐体１２の内部には、任意選別部３４や各金種別選別部３６により選別されたバラ硬貨を金種毎に一時的に保留する入金一時保留部４０、および入金一時保留部４０から送られたバラ硬貨を金種毎に収納するとともに収納されているバラ硬貨を繰り出すことができる収納繰出部５２がそれぞれ設けられている。また、筐体１２の内部には、任意選別部３４により選別されたバラ硬貨を紙やフィルム等の包装媒体により包装することによって包装硬貨を形成する包装部６０、包装部６０により形成された包装媒体を収納する包装硬貨収納部１００および包装部６０により形成された包装媒体を筐体１２の内部で搬送する包装硬貨搬送部１１０がそれぞれ設けられている。このような硬貨処理装置１０の各構成部材の詳細について以下に説明する。
【００２５】
図２、図３および図５に示すように、入金繰出部２０は、筐体１２の上面に設けられた硬貨投入口２１に投入されたバラ硬貨を受け入れる供給円盤２２と、この供給円盤２２からバラ硬貨が適量ずつ供給される回転円盤２４と、回転円盤２４からバラ硬貨を１枚ずつ入金搬送部２８に繰り出す繰出機構２６とを有している。
【００２６】
図５に示すように、入金搬送部２８は、入金繰出部２０から繰り出されたバラ硬貨を搬送路に沿って搬送する搬送ベルトを有している。ここで、搬送ベルトとしては例えば入金搬送部２８の搬送路に沿って移動する丸ベルトが用いられるようになっており、入金繰出部２０から繰り出されたバラ硬貨は当該丸ベルトとの間で働く摩擦力により搬送路に沿って搬送されるようになっている。また、入金搬送部２８には、当該入金搬送部２８により搬送されるバラ硬貨の金種、真偽、正損、新旧、表裏、搬送状態等の識別を行う入金識別部２９が設けられている。入金識別部２９によるバラ硬貨の識別情報は後述する制御部２００に送られるようになっている。
【００２７】
また、図５に示すように、入金搬送部２８には、入金識別部２９により正常な硬貨ではないと識別されたバラ硬貨や入金識別部２９により識別することができなかったバラ硬貨をリジェクト硬貨として選別するリジェクト選別部３０が設けられている。また、図３に示すように、筐体１２の内部には、リジェクト選別部３０により選別されたリジェクト硬貨としてのバラ硬貨が集積される入金リジェクト部３８、およびリジェクト選別部３０から入金リジェクト部３８にリジェクト硬貨としてのバラ硬貨を送る入金リジェクト用シュート３１がそれぞれ設けられている。ここで、図１に示すように、操作者は筐体１２の前面から入金リジェクト部３８の内部にアクセス可能となっており、入金リジェクト部３８に送られたリジェクト硬貨としてのバラ硬貨を操作者は筐体１２の前面から取り出すことができるようになっている。
【００２８】
また、入金搬送部２８において、硬貨の搬送方向におけるリジェクト選別部３０の下流側には、入金識別部２９により特定の任意の金種の硬貨であると識別されたバラ硬貨を選別する任意選別部３４が設けられている。ここで、任意選別部３４により選別される特定の任意の金種の硬貨とは、例えば後述するダイレクト包装処理において包装部６０によって包装媒体により包装されることにより包装硬貨とされるべきバラ硬貨や、後述する特定の金種の硬貨の計数処理において袋装着部に装着される貯留袋７５（図３において二点鎖線で表示）に送られるべきバラ硬貨のことをいう。このような任意選別部３４により特定の任意の金種の硬貨を選別する動作の詳細については後述する。
【００２９】
また、入金搬送部２８において、硬貨の搬送方向における任意選別部３４の更に下流側には、入金識別部２９により各々の金種の硬貨であると識別されたバラ硬貨を選別する複数の金種別選別部３６が設けられている。具体的には、複数の金種別選別部３６として、硬貨の搬送方向における上流側から順に、５円硬貨を選別する５円硬貨選別部３６ａ、１円硬貨を選別する１円硬貨選別部３６ｂ、５０円硬貨を選別する５０円硬貨選別部３６ｃ、１００円硬貨を選別する１００円硬貨選別部３６ｄ、１０円硬貨を選別する１０円硬貨選別部３６ｅおよび５００円硬貨を選別する５００円硬貨選別部３６ｆが設けられている。ここで、リジェクト選別部３０、任意選別部３４および５円硬貨選別部３６ａは、ソレノイド等の電気的駆動機構によって強制的に硬貨を分岐孔に落とし込ませるような構成となっている。一方、１円硬貨選別部３６ｂ、５０円硬貨選別部３６ｃ、１００円硬貨選別部３６ｄおよび１０円硬貨選別部３６ｅは、小径硬貨から大径硬貨の順にバラ硬貨を径の大きさで選別して該当する分岐孔に落とし込ませるような構成となっている。また、５００円硬貨選別部３６ｆは、５円硬貨選別部３６ａ、１円硬貨選別部３６ｂ、５０円硬貨選別部３６ｃ、１００円硬貨選別部３６ｄおよび１０円硬貨選別部３６ｅの各分岐孔に落とし込まれなかったバラ硬貨を５００円硬貨として当該５００円硬貨選別部３６ｆに対応する分岐孔に落とし込ませるような構成となっている。
【００３０】
また、図２および図３に示すように、筐体１２の内部において入金搬送部２８の下方には入金一時保留部４０が設けられている。入金一時保留部４０は、任意選別部３４により選別されたバラ硬貨が一時的に保留される任意一時保留部４２と、各金種別選別部３６により選別されたバラ硬貨が金種別に一時的に保留される金種別一時保留部４４とを有している。ここで、任意一時保留部４２は、その上部および底部が開口した枠体から構成されている。また、金種別一時保留部４４は、５円、１円、５０円、１００円、１０円、５００円の各金種に対応する保留領域４４ａ、４４ｂ、４４ｃ、４４ｄ、４４ｅ、４４ｆに区画された、その上部および底部が開口した枠体から構成されている。また、任意一時保留部４２および金種別一時保留部４４は互いに連結されており、これらの任意一時保留部４２および金種別一時保留部４４は一体的に水平方向に移動するようになっている。また、任意一時保留部４２や金種別一時保留部４４の下方には板状の底部材４６が設けられており、これらの任意一時保留部４２や金種別一時保留部４４の枠体の底部に設けられた開口が底部材４６により選択的に閉止されるようになっている。また、図２および図３に示すように、入金一時保留部４０は、任意一時保留部４２および金種別一時保留部４４を水平方向（具体的には、図２における左右方向）に移動させる第１駆動機構４５と、底部材４６を水平方向（具体的には、図２における左右方向）に移動させる第２駆動機構４７とを有している。
【００３１】
また、図２および図３に示すように、筐体１２の内部において入金一時保留部４０の更に下方には、入金一時保留部４０から送られたバラ硬貨を筐体１２の外部に排出するための排出部５０、入金一時保留部４０から送られたバラ硬貨を金種毎に収納するとともに収納されているバラ硬貨を繰り出すことができる収納繰出部５２、および入金一時保留部４０の任意一時保留部４２から送られたバラ硬貨を包装部６０や後述する袋装着部に装着された貯留袋７５に送るシュート機構７０、および入金一時保留部４０の任意一時保留部４２から送られたバラ硬貨が収納されるバラ硬貨一括収納箱９８（図２や図３では図示せず）がそれぞれ設けられている。
【００３２】
本実施の形態による硬貨処理装置１０における入金一時保留部４０の構成の詳細について図７乃至図９を用いて説明する。なお、図７（ａ）は、入金一時保留部４０の構成を概略的に示す側面図であり、図７（ｂ）は、図７（ａ）に示す入金一時保留部４０を上方から見たときの構成を示す上面図である。また、図８（ａ）〜図８（ｄ）は、それぞれ、図７（ｂ）に示す入金一時保留部４０（より詳細には、任意一時保留部４２）のＡ−Ａ矢視による断面図である。また、図９（ａ）〜図９（ｄ）は、それぞれ、図７（ｂ）に示す入金一時保留部４０（より詳細には、金種別一時保留部４４）のＢ−Ｂ矢視による断面図である。なお、図８および図９において、任意一時保留部４２や金種別一時保留部４４に一時的に保留される複数の硬貨の群を参照符号Ｃで示している。
【００３３】
入金一時保留部４０の任意一時保留部４２および金種別一時保留部４４は、第１駆動機構４５によって図７（ｂ）における上下方向に一体的に移動させられるようになっている。また、底部材４６は、第２駆動機構４７によって図７（ｂ）における上下方向に移動させられるようになっている。また、図７（ｂ）に示すように、任意一時保留部４２は、第１駆動機構４５による当該任意一時保留部４２の移動方向（具体的には、図７（ｂ）における上下方向）に沿って並ぶ第１保留領域４２ａおよび第２保留領域４２ｂに区画されたものから構成されている。また、任意一時保留部４２は、第１駆動機構４５により、図８（ａ）に示すような任意一時保留部４２の第１保留領域４２ａが任意選別部３４の分岐孔の真下に位置する第１位置、図８（ｂ）に示すような任意一時保留部４２の第１保留領域４２ａがバラ硬貨一括収納箱９８の真上に位置する第２位置、および図８（ｄ）に示すような任意一時保留部４２の第２保留領域４２ｂが任意選別部３４の分岐孔の真下に位置する第３位置の間で移動するようになっている。また、底部材４６は、第２駆動機構４７により、図８（ａ）（ｂ）に示すような排出部５０の真上に位置する第１位置および図８（ｃ）に示すようなバラ硬貨一括収納箱９８の真上に位置する第２位置の間で移動するようになっている。なお、本実施の形態による硬貨処理装置１０が待機状態にあるときには図８（ａ）に示すように任意一時保留部４２は第１位置に位置するとともに底部材４６も第１位置に位置するようになる。
【００３４】
図８（ａ）に示すように、任意一時保留部４２が第１位置に位置するとともに底部材４６が第１位置に位置しているときには、任意選別部３４の分岐孔に落とし込まれたバラ硬貨は任意一時保留部４２の第１保留領域４２ａに一時的に保留されるようになる。そして、図８（ａ）に示す状態から第１駆動機構４５により任意一時保留部４２が第１位置から図８（ｂ）に示すような第２位置に移動させられると、任意一時保留部４２の第１保留領域４２ａの底部に設けられた開口が開くことによりこの第１保留領域４２ａからバラ硬貨が自重により落下してバラ硬貨一括収納箱９８に送られ、このバラ硬貨一括収納箱９８に収納されるようになる。一方、図８（ａ）に示す状態から第２駆動機構４７により底部材４６が第１位置から図８（ｃ）に示すような第２位置に移動させられると、任意一時保留部４２の第１保留領域４２ａの底部に設けられた開口が開くことによりこの第１保留領域４２ａからバラ硬貨が自重により落下して排出部５０に送られ、この排出部５０に集積されるようになる。また、図８（ｄ）に示すように、任意一時保留部４２が第３位置に位置するとともに底部材４６が第１位置に位置しているときには、任意選別部３４の分岐孔に落とし込まれたバラ硬貨は任意一時保留部４２の第２保留領域４２ｂに送られ、この第２保留領域４２ｂを通過してシュート機構７０の上部シュート７２（後述）に送られるようになる。
【００３５】
また、任意一時保留部４２が図８（ａ）に示すような第１位置に位置しているときには、金種別一時保留部４４は図９（ａ）に示すような各保留領域４４ａ〜４４ｆが対応する各金種別選別部３６の各分岐孔の真下に位置する第１位置に位置するようになり、また、任意一時保留部４２が図８（ｂ）に示すような第２位置に位置しているときには、金種別一時保留部４４は図９（ｂ）に示すような各保留領域４４ａ〜４４ｆが収納繰出部５２の真上に位置する第２位置に位置するようになり、また、任意一時保留部４２が図８（ｄ）に示すような第３位置に位置しているときには、金種別一時保留部４４は図９（ｄ）に示すような第３位置に位置するようになる。なお、本実施の形態による硬貨処理装置１０が待機状態にあるときには図９（ａ）に示すように金種別一時保留部４４は第１位置に位置するようになる。また、底部材４６が図８（ａ）に示すような第１位置に位置しているときには、図９（ａ）に示すように金種別一時保留部４４の各保留領域４４ａ〜４４ｆの底部に設けられた開口が当該底部材４６により閉止されるようになり、一方、底部材４６が図８（ｃ）に示すような第２位置に位置しているときには、図９（ｃ）に示すように金種別一時保留部４４の各保留領域４４ａ〜４４ｆの底部に設けられた開口が開かれるようになる。
【００３６】
図９（ａ）に示すように、金種別一時保留部４４が第１位置に位置するとともに底部材４６が第１位置に位置しているときには、各金種別選別部３６の分岐孔に落とし込まれたバラ硬貨は金種別一時保留部４４の各保留領域４４ａ〜４４ｆに金種毎に一時的に保留されるようになる。そして、図９（ａ）に示す状態から第１駆動機構４５により金種別一時保留部４４が第１位置から図９（ｂ）に示すような第２位置に移動させられると、金種別一時保留部４４の各保留領域４４ａ〜４４ｆの底部に設けられた開口が開くことにより各保留領域４４ａ〜４４ｆからバラ硬貨が自重により落下して収納繰出部５２の各収納領域５２ａ〜５２ｆ（後述）に金種毎に送られ、各収納領域５２ａ〜５２ｆに金種毎に収納されるようになる。一方、図９（ａ）に示す状態から第２駆動機構４７により底部材４６が第１位置から図９（ｃ）に示すような第２位置に移動させられると、金種別一時保留部４４の各保留領域４４ａ〜４４ｆの底部に設けられた開口が開くことにより各保留領域４４ａ〜４４ｆからバラ硬貨が自重により落下して排出部５０に送られ、この排出部５０に金種混合状態で集積されるようになる。また、図９（ｄ）に示すように、第１駆動機構４５により任意一時保留部４２が第１位置から第３位置に移動させられた場合でも、金種別一時保留部４４の各保留領域４４ａ〜４４ｆの底部に設けられた開口が底部材４６により閉止されたままとなり、よって各金種別選別部３６の分岐孔に落とし込まれたバラ硬貨は金種別一時保留部４４の各保留領域４４ａ〜４４ｆに金種毎に一時的に保留されるようになる。
【００３７】
図３等に示すように、収納繰出部５２は、５円、１円、５０円、１００円、１０円、５００円の各金種に対応する収納領域５２ａ、５２ｂ、５２ｃ、５２ｄ、５２ｅ、５２ｆを有しており、これらの収納領域５２ａ〜５２ｆにバラ硬貨が金種別に収納されるようになっている。より詳細には、収納繰出部５２の各収納領域５２ａ〜５２ｆには、入金一時保留部４０の金種別一時保留部４４の各保留領域４４ａ〜４４ｆからバラ硬貨がそれぞれ送られるようになっている。また、各収納領域５２ａ〜５２ｆの底部には回転円盤等の硬貨繰出部５２ｐがそれぞれ設けられており、各硬貨繰出部５２ｐにより各収納領域５２ａ〜５２ｆからバラ硬貨が１枚ずつ繰り出されるようになっている。また、収納繰出部５２の下方には水平方向に延びるコンベア５４が設けられており、各硬貨繰出部５２ｐにより各収納領域５２ａ〜５２ｆから繰り出されたバラ硬貨はコンベア５４により搬送されるようになっている。ここで、コンベア５４には、当該コンベア５４により搬送されるバラ硬貨の金種、真偽、正損、新旧、表裏、搬送状態等の識別を行う出金識別部５５が設けられている。出金識別部５５によるバラ硬貨の識別情報は後述する制御部２００に送られるようになっている。また、出金識別部５５により識別されたバラ硬貨はコンベア５４により出金用シュート５８を介して出金箱９０に送られるか、あるいは包装用シュート５７を介して包装部６０に送られるようになっている。
【００３８】
排出部５０は、筐体１２の前面から操作者が手前側に引き出し可能な返却箱５０ａを有しており、入金一時保留部４０における任意一時保留部４２の第１保留領域４２ａや金種別一時保留部４４の各保留領域４４ａ〜４４ｆから送られたバラ硬貨が金種混合状態で集積されるようになっている。すなわち、返却箱５０ａは入金一時保留部４０の金種別一時保留部４４と異なり金種毎に壁部材等により区画されておらず、任意一時保留部４２の第１保留領域４２ａや金種別一時保留部４４の各保留領域４４ａ〜４４ｆから送られたバラ硬貨は同じ集積領域に金種混合状態で集積されるようになる。
【００３９】
バラ硬貨一括収納箱９８は、筐体１２の前面から操作者が手前側に引き出し可能となっており、入金一時保留部４０における任意一時保留部４２の第１保留領域４２ａから送られたバラ硬貨が集積されるようになっている。
【００４０】
図３に示すように、シュート機構７０は、入金一時保留部４０における任意一時保留部４２の第２保留領域４２ｂから送られたバラ硬貨が通過する上部シュート７２と、この上部シュート７２から分岐した貯留用シュート７４および包装用シュート７６とを有しており、上部シュート７２から貯留用シュート７４や包装用シュート７６への分岐箇所には分岐部材７８が設けられている。ここで、上部シュート７２から分岐部材７８により包装用シュート７６に分岐させられたバラ硬貨は包装部６０に送られるようになっている。一方、図１に示すように、貯留用シュート７４の下流側端部に位置する排出側開口７４ａは筐体１２の前面に開口するようになっており、この排出側開口７４ａの近傍には、図３において二点鎖線で示すような貯留袋７５を筐体１２の側面に装着させる袋装着部（図示せず）が設けられている。そして、袋装着部に貯留袋７５が装着されているときには、上部シュート７２から分岐部材７８により貯留用シュート７４に分岐させられたバラ硬貨は排出側開口７４ａから貯留袋７５に送られてこの貯留袋７５に貯留されるようになる。
【００４１】
出金箱９０は、筐体１２の前面から操作者が手前側に引き出し可能となっており、本実施の形態による硬貨処理装置１０においてバラ硬貨の出金処理が行われる際に、収納繰出部５２の各収納領域５２ａ〜５２ｆから繰り出されたバラ硬貨がコンベア５４により出金用シュート５８を介して出金箱９０に送られるようになっている。また、出金箱９０には図示しないロック機構が設けられており、このロック機構により出金箱９０は筐体１２の内部にロックされるようになっている。一方、ロック機構によるロックが解除されると、操作者は出金箱９０を筐体１２の前面から手前側に引き出すことができるようになる。また、図２に示すように、出金箱９０の底部には開口が設けられているとともに、この開口はシャッタ部材９２により選択的に閉じられるようになっている。また、筐体１２の下部には、出金リジェクト箱５６と、出金箱９０の底部に設けられた開口から出金リジェクト箱５６にバラ硬貨を送る出金リジェクト用シュート９４がそれぞれ設けられている。そして、本実施の形態による硬貨処理装置１０においてバラ硬貨の出金処理が行われる際に、出金されるべきバラ硬貨の金種とは異なる金種のバラ硬貨が収納繰出部５２の各収納領域５２ａ〜５２ｆから繰り出されて出金箱９０に送られたり、収納繰出部５２の各収納領域５２ａ〜５２ｆからのバラ硬貨の繰り出しエラーによって各収納領域５２ａ〜５２ｆから繰り出されたバラ硬貨の枚数が不確定となってしまったりした場合には、出金箱９０の底部に設けられた開口がシャッタ部材９２により開かれ、出金箱９０に送られたバラ硬貨はこの出金箱９０から出金リジェクト用シュート９４を介して出金リジェクト箱５６に送られるようになる。
【００４２】
包装部６０は、シュート機構７０の包装用シュート７６や包装用シュート５７により当該包装部６０に送られたバラ硬貨が集積されるとともに集積されたバラ硬貨を１枚ずつ繰り出す集積部としての回転円盤６２と、回転円盤６２により繰り出されたバラ硬貨を搬送するコンベア６３と、コンベア６３により搬送されたバラ硬貨が積層状態で集積されるとともに集積された所定の枚数（例えば、５０枚）のバラ硬貨を紙やフィルム等の包装媒体により包装する包装機構６８とを有している。ここで、包装機構６８は上方から見て仮想の正三角形の各頂点に位置する３本の包装ローラ６８ａを有しており、各包装ローラ６８ａの間の包装領域において所定枚数重積した重積硬貨が包装媒体により包装されて包装硬貨が形成されるようになっている。図４に示すように、包装機構６８により形成された包装硬貨はこの包装機構６８から下方に排出されるようになっている。また、包装機構６８の下方には包装硬貨用シュート６５および横搬送部６７が設けられており、包装機構６８により形成された包装硬貨が当該包装機構６８から下方に排出されると、この排出された包装硬貨は包装硬貨用シュート６５を通って横搬送部６７に送られ、この横搬送部６７により包装硬貨搬送部１１０に向かって搬送されるようになる。また、横搬送部６７と包装硬貨搬送部１１０との間には、横搬送部６７から包装硬貨搬送部１１０への包装硬貨の放出と放出規制とを切り換える切換部材６９が設けられている。
【００４３】
また、図２等に示すように、包装部６０においてコンベア６３の下方には排出シュート６４が設けられており、包装機構６８により所定の枚数（例えば、５０枚）のバラ硬貨を包装する際に所定の枚数に満たない端数分のバラ硬貨はコンベア６３から排出シュート６４に送られてこの排出シュート６４により出金リジェクト箱５６に送られるようになっている。また、出金リジェクト箱５６の近傍には、端数分のバラ硬貨を収納する端数硬貨収納箱９７が設けられているとともに、この出金リジェクト箱５６には、排出シュート６４から送られた端数分のバラ硬貨を出金リジェクト箱５６および端数硬貨収納箱９７の何れかに分岐させる分岐部材９６が設けられている。このような分岐部材９６が設けられていることにより、コンベア６３から排出シュート６４に送られた端数分のバラ硬貨を出金リジェクト箱５６および端数硬貨収納箱９７のうち何れかに収納させることができるようになる。
【００４４】
図４に示すように、包装硬貨搬送部１１０は、筐体１２の内部における上部および下部にそれぞれ設けられた２つのプーリ１１２と、これらの２つのプーリ１１２に掛け渡された無端状の循環ベルト１１４と、２つのプーリ１１２のうち一方のプーリ１１２を回転駆動させることにより循環ベルト１１４を図４における反時計回りの方向に循環移動させる駆動モータ（図示せず）とを有している。また、図４に示すように、循環ベルト１１４には、包装硬貨搬送部１１０により搬送されるべき包装硬貨が引っ掛けられる突起１１６が等間隔で複数設けられている。ここで、各突起１１６は、当該突起１１６と包装硬貨とが接する面が循環ベルト１１４の延びる方向（すなわち、図４における上下方向）に対して所定の角度（例えば、６０°）をなして傾斜する方向に当該循環ベルト１１４から突出して形成されている。このように各突起１１６が循環ベルト１１４の延びる方向に対して傾斜していることにより、突起１１６に引っ掛けられた包装硬貨はその自重により突起１１６上で循環ベルト１１４側に寄せられるようになる。そして、循環ベルト１１４が図４における反時計回りの方向に循環移動すると、包装硬貨は突起１１６に引っ掛けられた状態で（すなわち、突起１１６上で循環ベルト１１４側に寄せられた状態で）循環ベルト１１４の移動に合わせて図４における反時計回りの方向に沿って搬送されるようになる。また、本実施の形態では、循環ベルト１１４は、所定量だけ移動すると所定時間だけ停止し、その後再び所定量だけ移動するような動作が繰り返し行われる間欠移動を行うよう、駆動モータにより駆動させられるようになっている。
【００４５】
また、図４に示すように、筐体１２の内部において包装硬貨搬送部１１０の近傍には、包装硬貨の収納を行う包装硬貨収納部１００が設けられている。ここで、包装硬貨収納部１００は、同一金種の複数の包装硬貨を一列に収納する複数（図４に示す例では６つ）の収納トレイ１０２を有しており、各収納トレイ１０２には包装硬貨が金種別に収納されるようになっている。ここで、各収納トレイ１０２は水平方向に対して傾斜しており、収納トレイ１０２に収納されている包装硬貨は、包装硬貨搬送部１１０に近い側である収納トレイ１０２の最前部に向かって転がるようになっている。また、各収納トレイ１０２は鉛直方向に沿って並ぶよう配置されている。また、各収納トレイ１０２は、図４に示す位置から包装硬貨搬送部１１０に向かって（すなわち、図４における左方向に）移動可能となっており、各収納トレイ１０２が包装硬貨搬送部１１０における循環ベルト１１４の近傍の位置まで進出したときに、各収納トレイ１０２に収納されている包装硬貨が循環ベルト１１４の突起１１６に１つずつ受け渡されるようになる。また、各収納トレイ１０２の前端部分（すなわち、図４における左端部分）と、包装硬貨搬送部１１０との間には、各収納トレイ１０２に対応して複数のストッパ部分１０４ａが設けられたストッパ機構１０４が上下方向に移動可能に配置されている。このストッパ機構１０４が下降位置にあるときには、包装硬貨搬送部１１０に向かって進出した収納トレイ１０２の最前部の包装硬貨にストッパ部分１０４ａが接触してこの最前部の包装硬貨が循環ベルト１１４の突起１１６に受け渡されないようになる。この場合には、循環ベルト１１４により搬送される包装硬貨が突起１１６から収納トレイ１０２の最前部に受け渡され、この収納トレイ１０２に収納されるようになる。一方、ストッパ機構１０４が上昇位置にあるときには、包装硬貨搬送部１１０に向かって進出した収納トレイ１０２の最前部の包装硬貨にストッパ部分１０４ａが接触せず、この最前部の包装硬貨が循環ベルト１１４の突起１１６に受け渡されるようになる。
【００４６】
また、筐体１２の前面において包装硬貨搬送部１１０の前部域には、包装硬貨出金部１３０、包装硬貨一括収納箱１３２および包装硬貨投出部１３６がそれぞれ設けられている。また、包装硬貨出金部１３０および包装硬貨一括収納箱１３２の各々に対応して、包装硬貨搬送部１１０の循環ベルト１１４により搬送される包装硬貨を選択的に包装硬貨出金部１３０および包装硬貨一括収納箱１３２にそれぞれ分岐させる分岐部材１１８、１１９が設けられている。ここで、図１に示すように、操作者は筐体１２の前面から包装硬貨出金部１３０にアクセス可能となっており、包装硬貨出金部１３０に送られた包装硬貨を操作者は筐体１２の外部に取り出すことができるようになっている。また、図３に示すように、包装部６０により形成された包装硬貨を包装硬貨投出部１３６に送る包装硬貨投出用シュート１３４が筐体１２の内部に設けられており、包装部６０により形成された包装硬貨は包装硬貨投出用シュート１３４を介して包装硬貨投出部１３６に直接送られるようになっている。また、図１に示すように、操作者は筐体１２の前面から包装硬貨投出部１３６にアクセス可能となっており、包装部６０から包装硬貨投出部１３６に直接送られた包装硬貨を操作者は筐体１２の外部に取り出すことができるようになっている。
【００４７】
また、図１０に示すように、本実施の形態による硬貨処理装置１０には、当該硬貨処理装置１０の各構成部材の制御を行う制御部２００が設けられている。具体的には、制御部２００には、入金繰出部２０、入金搬送部２８、入金識別部２９、リジェクト選別部３０、任意選別部３４、各金種別選別部３６、入金一時保留部４０、収納繰出部５２、コンベア５４、出金識別部５５、包装部６０、分岐部材７８、分岐部材９６、包装硬貨収納部１００、包装硬貨搬送部１１０、分岐部材１１８、１１９等がそれぞれ接続されている。ここで、入金識別部２９や出金識別部５５によるバラ硬貨の識別情報はこれらの入金識別部２９や出金識別部５５から制御部２００に送られるようになっている。また、制御部２００は、硬貨処理装置１０の各構成部材に指令の信号を送ることによりこれらの構成部材の動作を制御するようになっている。
【００４８】
また、制御部２００には操作表示部２０２、印字部２０４、記憶部２０６および通信インターフェース部２０８がそれぞれ接続されている。操作表示部２０２は、例えば筐体１２の上部に設けられたタッチパネル等からなり、硬貨処理装置１０における硬貨の処理状況や、収納繰出部５２の各収納領域５２ａ〜５２ｆに収納されているバラ硬貨の金種毎の在高および包装硬貨収納部１００の各収納トレイ１０２に収納されている包装硬貨の金種毎の在高等の情報を表示するようになっている。また、操作者はこの操作表示部２０２により制御部２００に様々な指令を入力することができるようになっている。また、印字部２０４は、硬貨処理装置１０における硬貨の処理状況や、収納繰出部５２の各収納領域５２ａ〜５２ｆに収納されているバラ硬貨の金種毎の在高および包装硬貨収納部１００の各収納トレイ１０２に収納されている包装硬貨の金種毎の在高等の情報をレシート等に印刷するプリンタ等から構成されている。また、記憶部２０６は、硬貨処理装置１０における硬貨の処理履歴や、収納繰出部５２の各収納領域５２ａ〜５２ｆに収納されているバラ硬貨の金種毎の在高および包装硬貨収納部１００の各収納トレイ１０２に収納されている包装硬貨の金種毎の在高等の情報を記憶するようになっている。また、制御部２００は通信インターフェース部２０８を介して上位端末等の外部装置に対して様々な信号の送受信を行うことができるようになっている。
【００４９】
また、制御部２００には、特定の金種の硬貨の処理である特定処理を行う旨の指令を受け付ける特定処理指令受付手段２１０が接続されている。ここで、特定処理指令受付手段２１０により受け付けられる特定処理としては、硬貨投入口２１に投入されたバラ硬貨のうちある一つの金種のバラ硬貨を包装部６０により包装して包装硬貨を形成するような包装処理や、硬貨投入口２１に投入されたバラ硬貨のうちある一つの金種のバラ硬貨を計数して袋装着部に装着された貯留袋７５に貯留させるような計数処理が挙げられる。より詳細には、操作者によって操作表示部２０２により上記の包装処理や計数処理を行う旨の指令が入力されたり、外部装置から通信インターフェース部２０８を介して上記の包装処理や計数処理を行う旨の指令が制御部２００に送信されたりした場合には、特定処理指令受付手段２１０は特定処理を行う旨の指令を受け付けるようになる。特定処理を行う旨の指令が特定処理指令受付手段２１０により受け付けられると、この特定処理に関する特定の金種の硬貨が任意選別部３４により選別されて入金一時保留部４０における任意一時保留部４２に送られるようになる。このような動作の詳細については後述する。
【００５０】
次に、このような構成からなる硬貨処理装置１０の動作について説明する。なお、以下に示すような硬貨処理装置１０の動作は、制御部２００が硬貨処理装置１０の各構成部材を制御することにより行われるようになっている。
【００５１】
まず、硬貨処理装置１０においてバラ硬貨の入金処理を行う際の動作について説明する。操作者によって操作表示部２０２によりバラ硬貨の入金処理開始の指令が入力されたり、上位端末等の外部装置から通信インターフェース部２０８を介して制御部２００にバラ硬貨の入金処理開始の指令が制御部２００に送信されたりした後、操作者によって硬貨投入口２１にバラ硬貨が投入されると、入金繰出部２０から入金搬送部２８にバラ硬貨が１枚ずつ繰り出され、この繰り出されたバラ硬貨は入金搬送部２８により搬送される。また、入金搬送部２８により搬送されるバラ硬貨は入金識別部２９によりその金種、真偽、正損、新旧、表裏、搬送状態等の識別が行われる。ここで、入金識別部２９により正常な硬貨ではないと識別されたバラ硬貨や入金識別部２９により識別することができなかったバラ硬貨はリジェクト硬貨としてリジェクト選別部３０により選別され、このリジェクト選別部３０の分岐孔に送り込まれたバラ硬貨は入金リジェクト用シュート３１を介して入金リジェクト部３８に送られる。上述したように、操作者は筐体１２の前面から入金リジェクト部３８の内部にアクセス可能となっており、入金リジェクト部３８に送られたリジェクト硬貨としてのバラ硬貨を操作者は筐体１２の前面から取り出して硬貨投入口２１に再投入等することができるようになる。一方、入金識別部２９により正常な硬貨であると識別されたバラ硬貨は各金種別選別部３６により金種毎に選別され、各金種別選別部３６の分岐孔に送り込まれたバラ硬貨は入金一時保留部４０における金種別一時保留部４４の各保留領域４４ａ〜４４ｆに金種別に一時的に保留されるようになる（図９（ａ）参照）。
【００５２】
そして、硬貨投入口２１に投入されたバラ硬貨が全て入金リジェクト部３８または金種別一時保留部４４に送られた後、操作者が操作表示部２０２により入金確定の指令を入力すると、入金一時保留部４０において金種別一時保留部４４が第１駆動機構４５により図９（ａ）に示すような第１位置から図９（ｂ）に示すような第２位置に移動させられ、金種別一時保留部４４の各保留領域４４ａ〜４４ｆの底部に設けられた開口が開くことにより各保留領域４４ａ〜４４ｆからバラ硬貨が自重により落下して収納繰出部５２の各収納領域５２ａ〜５２ｆに金種毎に送られ、各収納領域５２ａ〜５２ｆに金種毎に収納されるようになる。また、硬貨投入口２１に投入されたバラ硬貨が全て入金リジェクト部３８または金種別一時保留部４４に送られた後、操作者が操作表示部２０２により入金確定の指令ではなく返却の指令を入力すると、入金一時保留部４０において底部材４６が第２駆動機構４７により図９（ａ）に示すような第１位置から図９（ｃ）に示すような第２位置に移動させられ、金種別一時保留部４４の各保留領域４４ａ〜４４ｆの底部に設けられた開口が開くことにより各保留領域４４ａ〜４４ｆからバラ硬貨が自重により落下して排出部５０に送られ、この排出部５０に金種混合状態で集積されるようになる。そして、操作者は筐体１２の前面から排出部５０の返却箱５０ａを手前側に引き出すことにより、返却されたバラ硬貨を返却箱５０ａから筐体１２の外部に取り出すことができるようになる。
【００５３】
次に、硬貨処理装置１０においてバラ硬貨の出金処理を行う際の動作について説明する。操作者によって操作表示部２０２によりバラ硬貨の出金処理開始の指令が入力されたり、上位端末等の外部装置から通信インターフェース部２０８を介して制御部２００にバラ硬貨の出金処理開始の指令が制御部２００に送信されたりすると、収納繰出部５２の各収納領域５２ａ〜５２ｆに収納されているバラ硬貨のうち出金されるべきバラ硬貨が回転円盤等の硬貨繰出部５２ｐにより１枚ずつ各収納領域５２ａ〜５２ｆから繰り出される。そして、収納繰出部５２の各収納領域５２ａ〜５２ｆから繰り出されたバラ硬貨はコンベア５４により出金用シュート５８に送られ、出金用シュート５８に送られたバラ硬貨は自重により落下して出金箱９０に送られてこの出金箱９０に収納されるようになる。そして、出金されるべきバラ硬貨が全て収納繰出部５２の各収納領域５２ａ〜５２ｆから繰り出されて出金箱９０に送られた後、出金箱９０を筐体１２の内部にロックするためのロック機構による出金箱９０のロックが解除され、操作者は出金箱９０を筐体１２の前面から手前側に引き出すことができるようになる。このようにして、操作者は出金箱９０を筐体１２の前面から手前側に引き出した後、出金硬貨を出金箱９０から取り出すことができるようになる。一方、出金されるべきバラ硬貨の金種とは異なる金種のバラ硬貨が収納繰出部５２の各収納領域５２ａ〜５２ｆから繰り出されて出金箱９０に送られたり、収納繰出部５２の各収納領域５２ａ〜５２ｆからのバラ硬貨の繰り出しエラーによって各収納領域５２ａ〜５２ｆから繰り出されたバラ硬貨の枚数が不確定となってしまったりした場合には、出金箱９０の底部に設けられた開口がシャッタ部材９２により開かれ、出金箱９０に送られたバラ硬貨はこの出金箱９０から出金リジェクト用シュート９４を介して出金リジェクト箱５６に送られるようになる。
【００５４】
また、本実施の形態による硬貨処理装置１０では、バラ硬貨が硬貨投入口２１に投入されたときに、この投入されたバラ硬貨を包装部６０において所定枚数だけ重積させて包装媒体により包装することによって包装硬貨を形成し、形成された包装硬貨を包装硬貨出金部１３０や包装硬貨投出部１３６により出金したり包装硬貨収納部１００の各収納トレイ１０２に収納させたりするようなダイレクト包装処理を行うことができるようになっている。本実施の形態による硬貨処理装置１０においてこのようなダイレクト包装処理を行う際の動作について以下に説明する。なお、図１１（ａ）（ｂ）は、それぞれ、図１等に示す硬貨処理装置１０においてダイレクト包装処理を行う際の硬貨の流れを示す側面図および正面図である。
【００５５】
操作者によって操作表示部２０２によりダイレクト包装処理開始の指令が入力されたり、上位端末等の外部装置から通信インターフェース部２０８を介して制御部２００にダイレクト包装処理開始の指令が制御部２００に送信されたりすると、特定処理として包装処理を行う旨の指令が特定処理指令受付手段２１０により受け付けられるようになる。特定処理として包装処理を行う旨の指令が特定処理指令受付手段２１０により受け付けられると、入金一時保留部４０において任意一時保留部４２や金種別一時保留部４４が第１駆動機構４５によって第３位置（すなわち、任意一時保留部４２の第２保留領域４２ｂが任意選別部３４の分岐孔の真下に位置するような位置）に移動させられるとともに底部材４６が第２駆動機構４７によって第２位置（すなわち、底部材４６が収納繰出部５２の真上に位置するような位置）に移動させられるようになる。また、シュート機構７０において上部シュート７２からバラ硬貨が分岐部材７８により包装用シュート７６に分岐させられるよう分岐部材７８によるバラ硬貨の分岐先が設定されるようになる。
【００５６】
特定処理として包装処理を行う旨の指令が特定処理指令受付手段２１０により受け付けられた後、操作者によって硬貨投入口２１にバラ硬貨が投入されると、入金繰出部２０から入金搬送部２８にバラ硬貨が１枚ずつ繰り出され、この繰り出されたバラ硬貨は入金搬送部２８により搬送される。また、入金搬送部２８により搬送されるバラ硬貨は入金識別部２９によりその金種、真偽、正損、新旧、表裏、搬送状態等の識別が行われる。ここで、本実施の形態では、入金識別部２９により最初に識別されたバラ硬貨の金種が、ダイレクト包装処理における包装部６０により包装されるべき包装硬貨の金種として設定されるようになっていてもよく、あるいは包装部６０により包装されるべき包装硬貨の金種が予め操作者によって操作表示部２０２により指定されたりあるいは上位端末等の外部装置から通信インターフェース部２０８を介して制御部２００に送信されたりするようになっていてもよい。
【００５７】
入金識別部２９により正常な硬貨ではないと識別されたバラ硬貨や入金識別部２９により識別することができなかったバラ硬貨はリジェクト硬貨としてリジェクト選別部３０により選別され、このリジェクト選別部３０の分岐孔に送り込まれたバラ硬貨は入金リジェクト用シュート３１を介して入金リジェクト部３８に送られる。また、入金識別部２９により識別されたバラ硬貨のうち、包装処理に係る特定の金種のバラ硬貨は任意選別部３４により選別され、この任意選別部３４の分岐孔に落とし込まれたバラ硬貨は任意一時保留部４２の第２保留領域４２ｂに送られ、この第２保留領域４２ｂを通過してシュート機構７０の上部シュート７２に送られるようになる。そして、上部シュート７２に送られたバラ硬貨は分岐部材７８により包装用シュート７６に分岐させられ、この包装用シュート７６から包装部６０に送られるようになる（図１１（ａ）の矢印参照）。そして、包装部６０の包装機構６８において各包装ローラ６８ａの間の包装領域において所定枚数重積した重積硬貨が包装媒体により包装されて包装硬貨が形成される。包装機構６８により形成された包装硬貨は当該包装機構６８から下方に排出される、この排出された包装硬貨は包装硬貨用シュート６５により横搬送部６７に送られ、この横搬送部６７により包装硬貨搬送部１１０に向かって搬送されるようになる。そして、横搬送部６７から包装硬貨搬送部１１０に受け渡された包装硬貨は包装硬貨出金部１３０により出金されたり包装硬貨収納部１００の各収納トレイ１０２に金種毎に収納されたりするようになる。なお、ダイレクト包装処理が行われる際に、包装部６０により形成された包装硬貨が包装硬貨投出用シュート１３４を介して包装硬貨投出部１３６に直接送られるようになっていてもよい。
【００５８】
また、入金識別部２９により識別されたバラ硬貨のうち、包装処理に係る特定の金種以外の金種のバラ硬貨は各金種別選別部３６により選別される。ここで、上述したように、特定処理として包装処理を行う旨の指令が特定処理指令受付手段２１０により受け付けられると、入金一時保留部４０において底部材４６が第２駆動機構４７によって第２位置（すなわち、底部材４６が収納繰出部５２の真上に位置するような位置）に移動させられるため、金種別一時保留部４４の各保留領域４４ａ〜４４ｆの底部に設けられた開口が開くようになり、各金種別選別部３６の分岐孔に送り込まれたバラ硬貨は入金一時保留部４０における金種別一時保留部４４の各保留領域４４ａ〜４４ｆを通過して排出部５０に送られるようになる（図１１（ａ）の矢印参照）。
【００５９】
ここで、従来の硬貨処理装置１０のダイレクト包装処理では、図１２に示すように、硬貨処理装置１０の硬貨投入口２１に投入された硬貨のうち包装対象となる金種以外の金種の硬貨は入金一時保留部４０における金種別一時保留部４４の各保留領域４４ａ〜４４ｆに金種毎に保留されるようになっていた。なお、図１２（ａ）（ｂ）は、それぞれ、従来の硬貨処理装置１０においてダイレクト包装処理を行う際の硬貨の流れを示す側面図および正面図である。しかしながら、従来の硬貨処理装置１０のダイレクト包装処理では、金種別一時保留部４４は複数の保留領域４４ａ〜４４ｆに区画されており各保留領域４４ａ〜４４ｆの容量は排出部５０の容量よりも小さいため、各保留領域４４ａ〜４４ｆにおいてバラ硬貨が満杯になりやすいという問題がある。ここで、入金一時保留部４０の金種別一時保留部４４におけるある保留領域（例えば、保留領域４４ｄ）に保留された硬貨が満杯となったときには、入金繰出部２０や入金搬送部２８の動作を停止させることによって硬貨投入口２１に投入されたバラ硬貨を包装部６０や入金一時保留部４０の金種別一時保留部４４に送る動作を停止させ、入金一時保留部４０の金種別一時保留部４４に保留されている硬貨を硬貨処理装置１０の筐体１２の外部に一旦排出させた後に、硬貨投入口２１に投入されたバラ硬貨を包装部６０や入金一時保留部４０の金種別一時保留部４４に送る動作を再開させる必要があった。このように、従来の硬貨処理装置１０のダイレクト包装処理では、入金一時保留部４０の金種別一時保留部４４におけるある保留領域に保留された硬貨が満杯となったときには硬貨の処理が中断されるため操作者にとって手間がかかるとともに硬貨の処理時間が長くなってしまうという問題があった。
【００６０】
これに対し、本実施の形態による硬貨処理装置１０のダイレクト包装処理では、図１１に示すように、各金種別選別部３６により選別された、包装処理に係る特定の金種以外の金種のバラ硬貨を、入金一時保留部４０の金種別一時保留部４４における各保留領域４４ａ〜４４ｆに保留させることなく排出部５０に直接送ることによって、より多くの枚数の硬貨を排出部５０に集積させることができるため、バラ硬貨の処理が中断される頻度を少なくすることができ、よって操作者にとっての負荷を軽減するとともに硬貨の処理時間を短くすることができるようになる。図１１において、各保留領域４４ａ〜４４ｆに略満杯状態で保留されているバラ硬貨を排出部５０に送りこの排出部５０で集積させたときの状態を参照符合Ｍで示している。図１１に示すように、各保留領域４４ａ〜４４ｆに略満杯状態で保留されているバラ硬貨を排出部５０に送りこの排出部５０で集積させても、当該排出部５０においてバラ硬貨がなだらかに集積されるようになるため、図１１において参照符合Ｎで示すような追加のバラ硬貨を排出部５０に集積させることができるようになる。このため、図１２に示すように包装処理に係る特定の金種以外の金種のバラ硬貨を入金一時保留部４０の金種別一時保留部４４における各保留領域４４ａ〜４４ｆに保留させる場合と比較して、排出部５０においてバラ硬貨が満杯となりバラ硬貨の処理を中断させるまでの時間を長くすることができるようになる。
【００６１】
また、本実施の形態による硬貨処理装置１０では、ある金種についてダイレクト包装処理が完了した後、排出部５０の返却箱５０ａを筐体１２から手前側に引き出し、この返却箱５０ａからバラ硬貨を取り出して硬貨投入口２１に再投入することにより、別の金種（２金種目以降）についてダイレクト包装処理を引き続き行うことができるようになっている。また、２金種目以降のダイレクト包装処理が行われる際に、入金識別部２９による１回目（前回）の識別結果に基づいて、包装処理に係る特定の金種以外の金種のバラ硬貨のうち排出部５０に送られたバラ硬貨の枚数が最も多い金種が自動で次の包装処理における特定の金種（すなわち、包装部６０により包装されるべき金種）に設定されるようになっていてもよい。
【００６２】
また、本実施の形態による硬貨処理装置１０では、特定の金種のバラ硬貨の計数処理を行う場合にも上述したダイレクト包装処理と同様の処理を行うことができるようになっている。ここで、本実施の形態による硬貨処理装置１０において特定の金種のバラ硬貨の計数処理を行うにあたり、操作者は筐体１２の前面における排出側開口７４ａの近傍に設けられた袋装着部（図示せず）に貯留袋７５（図３参照）を装着させる。また、操作者によって操作表示部２０２により特定の金種のバラ硬貨の計数処理開始の指令が入力されたり、上位端末等の外部装置から通信インターフェース部２０８を介して制御部２００に特定の金種のバラ硬貨の計数処理開始の指令が制御部２００に送信されたりすると、特定の金種の硬貨の処理である特定処理として計数処理を行う旨の指令が特定処理指令受付手段２１０により受け付けられるようになる。特定処理として特定の金種のバラ硬貨の計数処理を行う旨の指令が特定処理指令受付手段２１０により受け付けられると、入金一時保留部４０において任意一時保留部４２や金種別一時保留部４４が第１駆動機構４５によって第３位置（すなわち、任意一時保留部４２の第２保留領域４２ｂが任意選別部３４の分岐孔の真下に位置するような位置）に移動させられるとともに底部材４６が第２駆動機構４７によって第２位置（すなわち、底部材４６が収納繰出部５２の真上に位置するような位置）に移動させられるようになる。また、シュート機構７０において上部シュート７２からバラ硬貨が分岐部材７８により貯留用シュート７４に分岐させられるよう分岐部材７８によるバラ硬貨の分岐先が設定されるようになる。
【００６３】
特定処理として計数処理を行う旨の指令が特定処理指令受付手段２１０により受け付けられた後、操作者によって硬貨投入口２１にバラ硬貨が投入されると、入金繰出部２０から入金搬送部２８にバラ硬貨が１枚ずつ繰り出され、この繰り出されたバラ硬貨は入金搬送部２８により搬送される。また、入金搬送部２８により搬送されるバラ硬貨は入金識別部２９によりその金種、真偽、正損、新旧、表裏、搬送状態等の識別が行われる。ここで、本実施の形態では、入金識別部２９により最初に識別されたバラ硬貨の金種が、計数処理において計数されるべき包装硬貨の金種として設定されるようになっていてもよく、あるいは計数処理において計数されるべき包装硬貨の金種が予め操作者によって操作表示部２０２により指定されたりあるいは上位端末等の外部装置から通信インターフェース部２０８を介して制御部２００に送信されたりするようになっていてもよい。
【００６４】
入金識別部２９により正常な硬貨ではないと識別されたバラ硬貨や入金識別部２９により識別することができなかったバラ硬貨はリジェクト硬貨としてリジェクト選別部３０により選別され、このリジェクト選別部３０の分岐孔に送り込まれたバラ硬貨は入金リジェクト用シュート３１を介して入金リジェクト部３８に送られる。また、入金識別部２９により識別されたバラ硬貨が計数処理に係る特定の金種のものである場合には、当該バラ硬貨の計数が行われる。また、入金識別部２９により識別されたバラ硬貨のうち、計数処理に係る特定の金種のバラ硬貨は任意選別部３４により選別され、この任意選別部３４の分岐孔に落とし込まれたバラ硬貨は任意一時保留部４２の第２保留領域４２ｂに送られ、この第２保留領域４２ｂを通過してシュート機構７０の上部シュート７２に送られるようになる。そして、上部シュート７２に送られたバラ硬貨は分岐部材７８により貯留用シュート７４に分岐させられ、この貯留用シュート７４に分岐させられたバラ硬貨は排出側開口７４ａから貯留袋７５に送られてこの貯留袋７５に貯留されるようになる。
【００６５】
また、入金識別部２９により識別されたバラ硬貨のうち、計数処理に係る特定の金種以外の金種のバラ硬貨は各金種別選別部３６により選別される。ここで、上述したように、特定処理として計数処理を行う旨の指令が特定処理指令受付手段２１０により受け付けられると、入金一時保留部４０において底部材４６が第２駆動機構４７によって第２位置（すなわち、底部材４６が収納繰出部５２の真上に位置するような位置）に移動させられるため、上記のダイレクト包装処理が行われる場合と同様に、金種別一時保留部４４の各保留領域４４ａ〜４４ｆの底部に設けられた開口が開くようになり、各金種別選別部３６の分岐孔に送り込まれたバラ硬貨は入金一時保留部４０における金種別一時保留部４４の各保留領域４４ａ〜４４ｆを通過して排出部５０に送られるようになる。このことにより、上記のダイレクト包装処理が行われる場合と同様に、計数処理に係る特定の金種以外の金種のバラ硬貨を入金一時保留部４０の金種別一時保留部４４における各保留領域４４ａ〜４４ｆに保留させる場合と比較して、排出部５０においてバラ硬貨が満杯となりバラ硬貨の処理を中断させるまでの時間を長くすることができるようになる。
【００６６】
また、本実施の形態による硬貨処理装置１０においては、上記の包装処理や計数処理が行われている間に、入金識別部２９による識別結果に基づいて排出部５０に収納されているバラ硬貨が所定の状態（具体的には、フル状態またはニアフル状態）となっていると制御部２００において判定された場合には、硬貨処理装置１０において包装処理や計数処理が制御部２００により中断されるようになっている。また、排出部５０に収納されているバラ硬貨がフル状態またはニアフル状態等の所定の状態になっていると制御部２００において判定された場合には、操作表示部２０２にこの情報が表示されるようになっている。このことにより、排出部５０に収納されているバラ硬貨がフル状態またはニアフル状態等の所定の状態となっていることが操作者に報知されるようになり、当該操作者は排出部５０の返却箱５０ａを筐体１２の前面から手前側に引き出してこの返却箱５０ａからバラ硬貨を取り出して当該返却箱５０ａを空状態とすることができるようになる。
【００６７】
以上のような構成からなる本実施の形態の硬貨処理装置１０やこのような硬貨処理装置１０による硬貨処理方法によれば、特定の金種の硬貨の処理である特定処理を行う旨の指令が特定処理指令受付手段２１０により受け付けられたときに、各金種別選別部３６により選別された、特定処理に係る特定の金種以外の金種のバラ硬貨を、入金一時保留部４０の金種別一時保留部４４における各保留領域４４ａ〜４４ｆを通過させて排出部５０に送るようになっている。この場合には、特定処理に係る特定の金種以外の金種のバラ硬貨を入金一時保留部４０の金種別一時保留部４４における各保留領域４４ａ〜４４ｆに保留させる場合と比較してより多くの枚数のバラ硬貨を排出部５０に集積させることができるため、硬貨の処理が中断される頻度を少なくすることができ、よって操作者にとっての負荷を軽減するとともに硬貨の処理時間を短くすることができる。
【００６８】
また、本実施の形態の硬貨処理装置１０においては、上述したように、所定の枚数のバラ硬貨を包装媒体により包装して包装硬貨を形成する包装部６０が設けられており、特定処理指令受付手段２１０において特定処理として包装処理を行う旨の指令が受け付けられたときに、各金種別選別部３６により選別された、包装処理に係る特定の金種のバラ硬貨が包装部６０に送られるようになっている。この場合には、本実施の形態の硬貨処理装置１０において包装処理を行う際に、包装対象となる金種以外の金種のバラ硬貨が入金一時保留部４０の金種別一時保留部４４における各保留領域４４ａ〜４４ｆではなく排出部５０に集積されるようになるため、硬貨の処理が中断される頻度を少なくすることができ、よって操作者にとっての負荷を軽減するとともに硬貨の処理時間を短くすることができる。
【００６９】
また、本実施の形態の硬貨処理装置１０においては、上述したように、筐体１２の外部からアクセス可能な貯留部として袋装着部に装着可能な貯留袋７５が設けられており、特定処理指令受付手段２１０において特定処理として計数処理を行う旨の指令が受け付けられたときに、各金種別選別部３６により選別された、計数処理に係る特定の金種のバラ硬貨が袋装着部に装着された貯留袋７５に送られるようになっている。この場合には、本実施の形態の硬貨処理装置１０において特定の金種のバラ硬貨の計数処理を行う際に、計数対象となる金種以外の金種のバラ硬貨が入金一時保留部４０の金種別一時保留部４４における各保留領域４４ａ〜４４ｆではなく排出部５０に集積されるようになるため、硬貨の処理が中断される頻度を少なくすることができ、よって操作者にとっての負荷を軽減するとともに硬貨の処理時間を短くすることができる。なお、本実施の形態では、筐体１２の外部からアクセス可能であり計数対象となる金種のバラ硬貨が貯留される貯留部は貯留袋７５に限定されることはない。筐体１２の外部からアクセス可能であり計数対象となる金種のバラ硬貨が貯留される貯留部として、貯留用シュート７４の排出側開口７４ａから排出されたバラ硬貨を受けるカセットやトレイ等の他の種類のバラ硬貨受け部が用いられるようになっていてもよい。
【００７０】
また、本実施の形態の硬貨処理装置１０においては、上述したように、排出部５０として、筐体１２から取り出し可能な返却箱５０ａが用いられるようになっている。なお、本実施の形態では排出部５０は返却箱５０ａに限定されることはない。排出部５０における筐体１２の前面側に開口が設けられており、操作者はこの開口を介して排出部５０の内部に手を入れることによりこの排出部５０からバラ硬貨を取り出すことができるような構成となっていてもよい。あるいは、排出部５０として、操作者が筐体１２に設けられた前面扉（図示せず）を開くことにより当該排出部５０からバラ硬貨を取り出すことができるような構成のものが用いられてもよい。
【００７１】
また、本実施の形態の硬貨処理装置１０においては、上述したように、入金一時保留部４０の金種別一時保留部４４における各保留領域４４ａ〜４４ｆの底面は開閉可能となっており、特定処理指令受付手段２１０において特定処理を行う旨の指令が受け付けられたときに、各保留領域４４ａ〜４４ｆの底面が開くことにより、特定処理に係る特定の金種以外の金種のバラ硬貨が各保留領域４４ａ〜４４ｆを通過して排出部５０に送られるようになっている。より詳細には、入金一時保留部４０の金種別一時保留部４４における各保留領域４４ａ〜４４ｆの底面は開口しているとともに、開口を閉止する閉止位置および開口を開く開口位置の間で移動自在となっている閉止部材として底部材４６が設けられている。そして、特定処理指令受付手段２１０において特定処理を行う旨の指令が受け付けられたときに、閉止部材としての底部材４６は各保留領域４４ａ〜４４ｆの底面に設けられた開口を開く開口位置に位置するようになっている。
【００７２】
また、本実施の形態の硬貨処理装置１０においては、上述したように、特定処理が行われている間に、排出部５０に収納されているバラ硬貨が所定の状態（具体的には、フル状態またはニアフル状態）となった場合には特定処理が中断されるようになっている。また、排出部５０に収納されている硬貨が所定の状態となった場合にこのことを報知する報知部として操作表示部２０２が設けられている。この場合には、排出部５０に収納されているバラ硬貨がフル状態またはニアフル状態等の所定の状態となったときには、このことが操作者に対して報知されることにより、当該操作者は排出部５０からバラ硬貨を取り出してこの排出部５０を空状態とすることができるようになる。なお、排出部５０に収納されている硬貨が所定の状態となった場合にこのことを報知する報知部は操作表示部２０２に限定されることはない。報知部の他の例として、操作者に対して音声により報知を行うような音声部が用いられるようになっていてもよい。
【００７３】
なお、本実施の形態による硬貨処理装置１０や硬貨処理方法は、上述したような態様に限定されることはなく、様々な変更を加えることができる。
【００７４】
図７乃至図９等に示す構成の入金一時保留部４０では、金種別一時保留部４４における各保留領域４４ａ〜４４ｆの底面に開口が設けられるとともにこの開口が底部材４６により開閉されるようになっているが、入金一時保留部の構成はこのような態様に限定されることはない。変形例に係る入金一時保留部として、当該入金一時保留部の金種別一時保留部の側面が開閉可能となっており、特定処理指令受付手段２１０において特定処理を行う旨の指令が受け付けられたときに、金種別一時保留部の側面が開くことにより、特定処理に係る特定の金種以外の金種の硬貨が金種別一時保留部を通過して排出部５０に送られるようになっていてもよい。このような入金一時保留部の金種別一時保留部の構成について図１３（ａ）（ｂ）を用いて説明する。
【００７５】
図１３（ａ）に示すように、変形例に係る硬貨処理装置に設けられた入金一時保留部の金種別一時保留部４４ｐは、その上面および左側の側面にそれぞれ開口が設けられた枠体４４ｑと、枠体４４ｑの内部において水平面に対して傾斜して設けられた傾斜板４４ｒと、枠体４４ｑにおける左側の側面に設けられた開口を開閉するシャッタ部材４４ｓとを有している。このような金種別一時保留部４４ｐにおいて、枠体４４ｑの内部にバラ硬貨を一時的に保留させる場合には枠体４４ｑにおける左側の側面に設けられた開口がシャッタ部材４４ｓにより閉じられるようになっている（図１３（ａ）参照）。この場合には、傾斜板４４ｒ上にバラ硬貨が集積されるようになる。一方、金種別一時保留部４４ｐに一時的に保留されているバラ硬貨をこの金種別一時保留部４４ｐから下方に排出する場合には、枠体４４ｑにおける左側の側面に設けられた開口からシャッタ部材４４ｓが退避し、この開口が開かれるようになる（図１３（ｂ）参照）。このことにより、金種別一時保留部４４ｐに一時的に保留されているバラ硬貨は、枠体４４ｑにおける左側の側面に設けられた開口を介してこの枠体４４ｑの外部に排出されるようになる。なお、図１３（ａ）（ｂ）において金種別一時保留部４４ｐに一時的に保留される複数のバラ硬貨の群を参照符合Ｃで示している。
【００７６】
また、包装処理や計数処理等の特定処理を行う旨の指令が特定処理指令受付手段２１０により受け付けられると、金種別一時保留部４４ｐにおいて枠体４４ｑにおける左側の側面に設けられた開口からシャッタ部材４４ｓが退避し、この開口が開かれるようになる。この場合には、特定処理に係る特定の金種以外の金種のバラ硬貨が金種別一時保留部４４ｐに送られたときに、このバラ硬貨は金種別一時保留部４４ｐを通過して排出部５０に送られるようになる。このように、図１３に示すような構成の金種別一時保留部４４ｐを用いた場合には、図７乃至図９等に示す構成の金種別一時保留部４４を用いたときと同様の作用効果を奏することができるようになる。
【００７７】
また、別の変形例に係る硬貨処理装置として、図１４に示すような構成のものが用いられるようになっていてもよい。図１４に示す硬貨処理装置１０ａでは、筐体１２の内部における底部において入金一時保留部４０の金種別一時保留部４４における各保留領域４４ａ〜４４ｆを通過したバラ硬貨を受けるバラ硬貨受け部５１が設けられている点が異なるのみであり、他の構成については図１乃至図１０に示す硬貨処理装置１０と同じとなっている。ここで、図１４に示す硬貨処理装置１０ａを説明するにあたり、図１乃至図１０に示す硬貨処理装置１０と同じ構成部材については同じ参照符合を付けてその説明を省略する。
【００７８】
図１４に示す硬貨処理装置１０ａでは、上述したように、筐体１２の内部における底部にバラ硬貨受け部５１が設けられている。ここで、図１４に示すように、バラ硬貨受け部５１の一部は筐体１２の外部に露出しており、また、バラ硬貨受け部５１は、筐体１２の外部に露出している側に向かって斜め下方に傾斜している。このことにより、操作者はバラ硬貨受け部５１に集積されたバラ硬貨を当該バラ硬貨受け部５１における筐体１２の外部に露出した部分から取り出すことができるようになっている。また、包装処理や計数処理等の特定処理を行う旨の指令が特定処理指令受付手段２１０により受け付けられると、入金一時保留部４０において任意一時保留部４２や金種別一時保留部４４が第１駆動機構４５によって第３位置（すなわち、任意一時保留部４２の第２保留領域４２ｂが任意選別部３４の分岐孔の真下に位置するような位置）に移動させられるとともに底部材４６が第２駆動機構４７によって第２位置（すなわち、底部材４６が収納繰出部５２の真上に位置するような位置）に移動させられるようになる。
【００７９】
また、図１４に示す硬貨処理装置１０ａでは、包装処理や計数処理等の特定処理を行う際に、操作者は排出部５０の返却箱５０ａを予め筐体１２の外部に取り出しておく。そして、包装処理や計数処理等の特定処理を行う旨の指令が特定処理指令受付手段２１０により受け付けられた後、操作者によって硬貨投入口２１にバラ硬貨が投入されると、入金繰出部２０から入金搬送部２８にバラ硬貨が１枚ずつ繰り出され、この繰り出されたバラ硬貨は入金搬送部２８により搬送される。また、入金搬送部２８により搬送されるバラ硬貨は入金識別部２９によりその金種、真偽、正損、新旧、表裏、搬送状態等の識別が行われる。
【００８０】
入金識別部２９により識別されたバラ硬貨のうち、包装処理や計数処理等の特定処理に係る特定の金種以外の金種のバラ硬貨は各金種別選別部３６により選別される。また、特定処理を行う旨の指令が特定処理指令受付手段２１０により受け付けられると、金種別一時保留部４４の各保留領域４４ａ〜４４ｆの底部に設けられた開口が開くようになり、各金種別選別部３６の分岐孔に送り込まれたバラ硬貨は入金一時保留部４０における金種別一時保留部４４の各保留領域４４ａ〜４４ｆを通過する。ここで、図１４に示す硬貨処理装置１０ａでは、入金一時保留部４０における金種別一時保留部４４の各保留領域４４ａ〜４４ｆを通過したバラ硬貨は自重によって入金一時保留部４０から下方に落下するが、排出部５０の返却箱５０ａが予め筐体１２の外部に取り出されているため、入金一時保留部４０から下方に落下した硬貨はバラ硬貨受け部５１により受けられて当該バラ硬貨受け部５１に集積されるようになる。なお、図１４（ａ）（ｂ）においてバラ硬貨受け部５１に集積される複数のバラ硬貨の群を参照符合Ｃで示している。このように、入金識別部２９により識別されたバラ硬貨のうち、包装処理や計数処理等の特定処理に係る特定の金種以外の金種のバラ硬貨はバラ硬貨受け部５１に集積されるようになるため、操作者は、硬貨投入口２１に投入されたバラ硬貨のうち、包装処理や計数処理等の特定処理に係る特定の金種以外の金種のバラ硬貨をバラ硬貨受け部５１から筐体１２の外部に随時（処理中でも）取り出すことができるようになる。このように、図１４に示す硬貨処理装置１０ａでも、図１乃至図１０に示す硬貨処理装置１０と同様に、硬貨の処理が中断される頻度を少なくすることができ、よって操作者にとっての負荷を軽減するとともに硬貨の処理時間を短くすることができるという作用効果が奏されるようになる。
【００８１】
また、更に別の変形例に係る硬貨処理装置として、図１５に示すような構成のものが用いられるようになっていてもよい。図１５に示す硬貨処理装置１０ｂでは、図１乃至図１０に示す硬貨処理装置１０と比較して入金リジェクト部３８ａの容量を大きくした点が異なるのみであり、他の構成については図１乃至図１０に示す硬貨処理装置１０と同じとなっている。ここで、図１５に示す硬貨処理装置１０ｂを説明するにあたり、図１乃至図１０に示す硬貨処理装置１０と同じ構成部材については同じ参照符合を付けてその説明を省略する。
【００８２】
図１５に示す硬貨処理装置１０ｂでは、包装処理や計数処理等の特定処理を行う旨の指令が特定処理指令受付手段２１０により受け付けられた後、操作者によって硬貨投入口２１にバラ硬貨が投入されると、入金繰出部２０から入金搬送部２８にバラ硬貨が１枚ずつ繰り出され、この繰り出されたバラ硬貨は入金搬送部２８により搬送され、入金識別部２９によりその金種、真偽、正損、新旧、表裏、搬送状態等の識別が行われるが、入金識別部２９により識別されたバラ硬貨のうち、包装処理や計数処理等の特定処理に係る特定の金種以外の金種のバラ硬貨はリジェクト選別部３０により選別され、このリジェクト選別部３０の分岐孔に送り込まれたバラ硬貨は入金リジェクト用シュート３１を介して入金リジェクト部３８ａに送られる。なお、図１５において入金リジェクト部３８ａに集積される複数のバラ硬貨の群を参照符合Ｃで示している。図１５に示す硬貨処理装置１０ｂでも、図１乃至図１０に示す硬貨処理装置１０と同様に、操作者は筐体１２の前面から入金リジェクト部３８ａの内部にアクセス可能となっており、入金リジェクト部３８ａに送られた、包装処理や計数処理等の特定処理に係る特定の金種以外の金種のバラ硬貨を操作者は筐体１２の前面から随時（処理中でも）取り出すことができるようになる。このように、図１５に示す硬貨処理装置１０ｂでは、入金リジェクト部３８ａは、包装処理や計数処理等の特定処理に係る特定の金種以外の金種のバラ硬貨を筐体１２の外部に排出するための排出部として機能するようになる。また、入金リジェクト用シュート３１は、リジェクト選別部３０により選別されたバラ硬貨を排出部としての入金リジェクト部３８ａに直接送るバイパス経路として機能するようになる。また、図１５に示す硬貨処理装置１０ｂでは入金リジェクト部３８ａの容量を大きくしているため、硬貨の処理が中断される頻度を少なくすることができ、よって操作者にとっての負荷を軽減するとともに硬貨の処理時間を短くすることができるという作用効果が奏されるようになる。
【００８３】
また、更に別の変形例に係る硬貨処理装置として、図１６に示すような構成のものが用いられるようになっていてもよい。図１６に示す硬貨処理装置１０ｃでは、図１乃至図１０に示す硬貨処理装置１０と比較して各金種別選別部３６により選別されたバラ硬貨を入金一時保留部４０の金種別一時保留部４４に送らずに排出部５０に直接送るようなバイパス経路８０が設けられた点が異なるのみであり、他の構成については図１乃至図１０に示す硬貨処理装置１０と同じとなっている。ここで、図１６に示す硬貨処理装置１０ｃを説明するにあたり、図１乃至図１０に示す硬貨処理装置１０と同じ構成部材については同じ参照符合を付けてその説明を省略する。
【００８４】
図１６に示す硬貨処理装置１０ｃでは、各金種別選別部３６の分岐孔から落下したバラ硬貨を、バイパス経路８０および入金一時保留部４０の金種別一時保留部４４のうちいずれかに分岐させる分岐部材（図示せず）が各々の金種別選別部３６に対応して設けられている。なお、本発明ではこのような分岐部材も、入金識別部２９による識別結果に基づいて入金識別部２９により識別されたバラ硬貨を金種毎に選別する選別部に含まれるものとする。
【００８５】
図１６に示す硬貨処理装置１０ｃにおいて、包装処理や計数処理等の特定処理を行う旨の指令が特定処理指令受付手段２１０により受け付けられると、各金種別選別部３６の分岐孔から落下したバラ硬貨が上記の分岐部材によりバイパス経路８０に分岐させられるように当該分岐部材によるバラ硬貨の分岐先が設定される。そして、包装処理や計数処理等の特定処理を行う旨の指令が特定処理指令受付手段２１０により受け付けられた後、操作者によって硬貨投入口２１にバラ硬貨が投入されると、入金繰出部２０から入金搬送部２８にバラ硬貨が１枚ずつ繰り出され、この繰り出されたバラ硬貨は入金搬送部２８により搬送される。また、入金搬送部２８により搬送されるバラ硬貨は入金識別部２９によりその金種、真偽、正損、新旧、表裏、搬送状態等の識別が行われる。ここで、入金識別部２９により識別されたバラ硬貨のうち、包装処理に係る特定の金種以外の金種のバラ硬貨は各金種別選別部３６により選別され、上記の分岐部材によりバイパス経路８０に分岐させられるようになる。このことにより、各金種別選別部３６により選別されたバラ硬貨は入金一時保留部４０の金種別一時保留部４４に送られずにバイパス経路８０を介して排出部５０の返却箱５０ａに直接送られるようになる。
【００８６】
このように、図１６に示すような更なる変形例に係る硬貨処理装置１０ｃによれば、特定の金種の硬貨の処理である特定処理を行う旨の指令が特定処理指令受付手段２１０により受け付けられたときに、各金種別選別部３６により選別された、特定処理に係る特定の金種以外の金種のバラ硬貨を、バイパス経路８０を通って排出部５０に直接送るよう、選別部としての分岐部材が制御部２００によって制御されるようになる。この場合には、図１乃至図１０に示す硬貨処理装置１０と同様に、特定処理に係る特定の金種以外の金種のバラ硬貨を入金一時保留部４０の金種別一時保留部４４における各保留領域４４ａ〜４４ｆに保留させる場合と比較してより多くの枚数のバラ硬貨を排出部５０に集積させることができるため、硬貨の処理が中断される頻度を少なくすることができ、よって操作者にとっての負荷を軽減するとともに硬貨の処理時間を短くすることができる。
【符号の説明】
【００８７】
１０、１０ａ、１０ｂ、１０ｃ  硬貨処理装置
１２      筐体
２０      入金繰出部
２１      硬貨投入口
２２      供給円盤
２４      回転円盤
２６      繰出機構
２８      入金搬送部
２９      入金識別部
３０      リジェクト選別部
３１      入金リジェクト用シュート
３４      任意選別部
３６      金種別選別部
３６ａ    ５円硬貨選別部
３６ｂ    １円硬貨選別部
３６ｃ    ５０円硬貨選別部
３６ｄ    １００円硬貨選別部
３６ｅ    １０円硬貨選別部
３６ｆ    ５００円硬貨選別部
３８、３８ａ  入金リジェクト部
４０      入金一時保留部
４２      任意一時保留部
４２ａ    第１保留領域
４２ｂ    第２保留領域
４４      金種別一時保留部
４４ａ〜４４ｆ  保留領域
４４ｐ    金種別一時保留部
４４ｑ    枠体
４４ｒ    傾斜板
４４ｓ    シャッタ部材
４５      第１駆動機構
４６      底部材
４７      第２駆動機構
５０      排出部
５０ａ    返却箱
５１      バラ硬貨受け部
５２      収納繰出部
５２ａ〜５２ｆ  収納領域
５２ｐ    硬貨繰出部
５４      コンベア
５５      出金識別部
５６      出金リジェクト箱
５７      包装用シュート
５８      出金用シュート
６０      包装部
６２      回転円盤
６３      コンベア
６４      排出シュート
６５      包装硬貨用シュート
６７      横搬送部
６８      包装機構
６８ａ    包装ローラ
６９      切換部材
７０      シュート機構
７２      上部シュート
７４      貯留用シュート
７４ａ    排出側開口
７５      貯留袋
７６      包装用シュート
７８      分岐部材
８０      バイパス経路
９０      出金箱
９２      シャッタ部材
９４      出金リジェクト用シュート
９６      分岐部材
９７      端数硬貨収納箱
９８      バラ硬貨一括収納箱
１００    包装硬貨収納部
１０２    収納トレイ
１０４    ストッパ機構
１０４ａ  ストッパ部分
１１０    包装硬貨搬送部
１１２    プーリ
１１４    循環ベルト
１１６    突起
１１８、１１９  分岐部材
１３０    包装硬貨出金部
１３２    包装硬貨一括収納箱
１３４    包装硬貨投出用シュート
１３６    包装硬貨投出部
２００    制御部
２０２    操作表示部
２０４    印字部
２０６    記憶部
２０８    通信インターフェース部
２１０    特定処理指令受付手段
【図１】
2017058769.tif 000003
【図２】
2017058769.tif 000004
【図３】
2017058769.tif 000005
【図４】
2017058769.tif 000006
【図５】
2017058769.tif 000007
【図６】
2017058769.tif 000008
【図７】
2017058769.tif 000009
【図８】
2017058769.tif 000010
【図９】
2017058769.tif 000011
【図１０】
2017058769.tif 000012
【図１１】
2017058769.tif 000013
【図１２】
2017058769.tif 000014
【図１３】
2017058769.tif 000015
【図１４】
2017058769.tif 000016
【図１５】
2017058769.tif 000017
【図１６】
2017058769.tif 000018